(57)【要約】【課題】使用環境によらず安定した無線通信を行うことが可能な電子カセッテを提供する。【解決手段】電子カセッテ１０の筐体１６は、側面２３と背面２１との間に形成され、側面２３および背面２１に対して傾斜した傾斜面６５を有する。傾斜面６５には、電波ＥＷを透過させるためのアンテナ用開口部６６が形成されている。アンテナ用開口部６６は傾斜面６５に形成されているので、立位撮影台４６Ａのホルダ４７Ａや臥位撮影台４６Ｂのホルダ４７Ｂの背板４９Ａ、４９Ｂで塞がれることがなく、また、外付けグリッド５５の側板部５９で塞がれることもない。電子カセッテ１０がホルダ４７Ａ、４７Ｂにセットされた場合や電子カセッテ１０に外付けグリッド５５が取り付けられた場合でも、安定した無線通信を行うことができる。【選択図】図６
2020139955.tif 000002
【特許請求の範囲】
【請求項１】
被写体を透過した放射線に基づき前記被写体の放射線画像を検出する画像検出部と、
前記画像検出部を収容し、前記放射線が入射する前面、前記前面と対向する背面、および４つの側面を有する筐体であり、前記側面の少なくとも一部および前記背面の少なくとも一部に対して傾斜した傾斜部を有し、前記傾斜部の一端は前記側面と接し、前記一端と反対側の前記傾斜部の他端は前記背面に接する筐体と、
前記筐体内に配置され、少なくとも前記放射線画像を電波で無線送信するためのアンテナと、
前記傾斜部に少なくとも一部が形成され、前記電波を透過させるためのアンテナ用開口部と、
前記アンテナ用開口部を塞ぐカバーとを備え、
前記カバーと前記筐体とは互いに固着される電子カセッテ。
【請求項２】
前記電波は、前記傾斜部を通じて送受信される請求項１に記載の電子カセッテ。
【請求項３】
前記アンテナは、前記アンテナ用開口部と対向する位置に配置されている請求項１または２に記載の電子カセッテ。
【請求項４】
前記アンテナは、前記アンテナ用開口部の中心に位置し、かつ設置面が前記傾斜部と平行となるよう配置されている請求項３に記載の電子カセッテ。
【請求項５】
前記アンテナ用開口部の開口面積は、前記アンテナ用開口部と対向する前記アンテナの面の面積よりも大きい請求項３または４に記載の電子カセッテ。
【請求項６】
前記アンテナは、前記アンテナ用開口部と対向する位置から外れた位置に配置されている請求項１または２に記載の電子カセッテ。
【請求項７】
前記アンテナは、前記アンテナ用開口部との間に隙間を空けて配置されている請求項１ないし６のいずれか１項に記載の電子カセッテ。
【請求項８】
前記アンテナ用開口部は、矩形状、円形状、楕円形状のうちのいずれかである請求項１ないし７のいずれか１項に記載の電子カセッテ。
【請求項９】
前記アンテナ用開口部の開口面積は、前記傾斜部の面積よりも小さい請求項１ないし８のいずれか１項に記載の電子カセッテ。
【請求項１０】
前記カバーは、電波透過性を有する非導電性材料で形成される請求項１ないし９のいずれか１項に記載の電子カセッテ。
【請求項１１】
前記側面と前記傾斜部の境界である第１境界と、前記背面と前記傾斜部の境界である第２境界との間の距離である前記傾斜部の幅が、前記前面および前記背面と直交する前記筐体の厚み方向における前記側面の幅よりも広い請求項１ないし１０のいずれか１項に記載の電子カセッテ。
【請求項１２】
撮影台のホルダに着脱自在にセット可能である請求項１ないし１１のいずれか１項に記載の電子カセッテ。
【請求項１３】
前記ホルダは、前記前面を覆う前板部と、
前記前板部と対向し、前記背面を覆う背板部とを有する請求項１２に記載の電子カセッテ。
【請求項１４】
前記放射線が前記被写体を透過する際に発生する散乱線を除去する外付けグリッドが着脱自在に取り付け可能である請求項１ないし１３のいずれか１項に記載の電子カセッテ。
【請求項１５】
前記外付けグリッドは、前記前面を覆う天板部と、
前記天板部の端縁に設けられ、前記前面側から前記背面側に延びて前記側面の一部を覆う側板部とを有する請求項１４に記載の電子カセッテ。
【発明の詳細な説明】
【技術分野】
【０００１】
本発明は、放射線撮影に用いられる電子カセッテに関する。
【背景技術】
【０００２】
医療用放射線撮影、例えばＸ線撮影において、電子カセッテが広く利用されている。電子カセッテは、Ｘ線が入射する前面、前面と対向する背面、および４つの側面を有する筐体内に、患者等の被写体のＸ線画像を検出する画像検出部（フラットパネルディテクタ（ＦＰＤ；flat panel detector）ともいう）を収容した可搬型のＸ線画像検出装置である。
【０００３】
特許文献１の図１に記載されているように、電子カセッテは、Ｘ線を照射するＸ線源と筐体の前面が対向する姿勢で保持されるよう、立位撮影台や臥位撮影台のホルダに着脱自在にセットされる。ホルダは、筐体の前面および背面を覆う前板部および背板部を有し、電磁波遮蔽性を有する導電性材料で形成されている。
【０００４】
また、Ｘ線撮影では、Ｘ線が被写体を透過する際に散乱線が発生するため、この散乱線を除去するグリッドが用いられる場合がある。グリッドには、電子カセッテに着脱自在に取り付けられる外付けタイプ（以下、外付けグリッドという）がある（特許文献２、３参照）。外付けグリッドは、電子カセッテが、立位撮影台や臥位撮影台のホルダにセットされるのではなく、ベッドに仰臥する被写体、あるいは高齢者や急病人等自力で動けない被写体に対して単体で使用される場合に電子カセッテに取り付けられる。
【０００５】
外付けグリッドは、グリッド本体と、グリッド本体を保持する保持枠とで構成されている。保持枠は、グリッド本体が取り付けられ、筐体の前面を覆う天板部と、天板部の端縁に設けられ、筐体の前面側から背面側に延びて筐体の側面の一部を覆う側板部とを有し、撮影台のホルダと同様に電磁波遮蔽性を有する導電性材料で形成されている。
【０００６】
電子カセッテには、電子カセッテの動作を制御する制御装置等の外部機器と無線通信する無線通信部と、電子カセッテを駆動するための電力を供給するバッテリとを備え、いわゆるケーブルレスで使用することが可能なものがある。例えば特許文献４には、筐体内において、画像検出部のＸ線の入射面とは反対側の面に、無線通信部のアンテナを設けた電子カセッテが記載されている。
【０００７】
筐体は、電子カセッテへの電磁ノイズの侵入、および電子カセッテから外部への電磁ノイズの放射を防止するため、撮影台のホルダや外付けグリッドの保持枠と同じく電磁波遮蔽性を有する導電性材料で形成されている。このため筐体内にアンテナを配置した特許文献４では、筐体の背面や側面に電波を透過させるためのアンテナ用開口部を形成し、アンテナによる電波の送受信を可能としている。特許文献１では、アンテナ用開口部に電波透過性を有するカバーが取り付けられている。
【先行技術文献】
【特許文献】
【０００８】
【特許文献１】特開２０１４−０５７８３１号公報
【特許文献２】実用新案登録第３１３７５４８号
【特許文献３】実用新案登録第３１４４６９０号
【特許文献４】特開２０１１−１１２９２３号公報
【発明の概要】
【発明が解決しようとする課題】
【０００９】
しかしながら、特許文献１のように筐体の背面や側面にアンテナ用開口部を形成した場合は、以下に示すような問題があった。
【００１０】
まず、筐体の背面にアンテナ用開口部を形成した場合は、電子カセッテを撮影台のホルダにセットしたときに、電磁波遮蔽性を有するホルダの背板部で背面のアンテナ用開口部が塞がれることがあった。筐体の側面にアンテナ用開口部を形成した場合は、外付けグリッドを筐体に取り付けたときに、電磁波遮蔽性を有する保持枠の側板部で側面のアンテナ用開口部が塞がれることがあった。
【００１１】
アンテナ用開口部が撮影台のホルダや外付けグリッドといった電磁波遮蔽性を有する部材で塞がれた場合は、電波透過性が悪くなり、無線通信速度が遅くなったり、ときには無線通信が断絶したりして、安定した無線通信を行うことができなくなる。
【００１２】
なお、筐体の背面や側面ではなく前面にアンテナ用開口部を形成した場合は、筐体の前面は背面や側面と同様に撮影台のホルダの前板部や外付けグリッドの天板部で塞がれてしまうため、アンテナ用開口部の配置箇所としては背面や側面と同様に適切ではない。
【００１３】
このように、アンテナ用開口部の配置箇所を筐体の側面、背面、あるいは前面とした場合には、いずれの場合も撮影台のホルダにセットしたり外付けグリッドを取り付けたりする等の使用環境によっては安定した無線通信ができなくなることがあった。
【００１４】
ここで、アンテナ用開口部が撮影台のホルダや外付けグリッドといった電磁波遮蔽性を有する部材で塞がれた場合、アンテナ用開口部を塞ぐ部材の部分を、アンテナ用開口部と同様に切り取ったり穴を開けたりする等の加工をすれば一応電波透過性は良化するが、加工が面倒であり、また、場合によっては部材の強度が損なわれてしまうおそれもある。
【００１５】
本発明は、上記課題を鑑みてなされたもので、使用環境によらず安定した無線通信を行うことが可能な電子カセッテを提供することを目的とする。
【課題を解決するための手段】
【００１６】
上記目的を達成するために、本発明の電子カセッテは、被写体を透過した放射線に基づき被写体の放射線画像を検出する画像検出部と、画像検出部を収容し、放射線が入射する前面、前面と対向する背面、および４つの側面を有する筐体であり、少なくとも側面の１つと背面との間に形成され、側面および背面に対して傾斜した傾斜面を有する筐体と、筐体内に配置され、少なくとも放射線画像を電波で無線送信するためのアンテナと、傾斜面に少なくとも一部が形成され、電波を透過させるためのアンテナ用開口部とを備えている。
【００１７】
アンテナは、アンテナ用開口部と対向する位置に配置されていることが好ましい。
【００１８】
アンテナ用開口部を塞ぐカバーを備えることが好ましい。
【００１９】
側面と傾斜面の境界である第１境界と、背面と傾斜面の境界である第２境界との間の距離である傾斜面の幅が、前面および背面と直交する筐体の厚み方向における側面の幅よりも広いことが好ましい。
【００２０】
撮影台のホルダに着脱自在にセット可能であることが好ましい。ホルダは、前面を覆う前板部と、前板部と対向し、背面を覆う背板部とを有することが好ましい。
【００２１】
また、放射線が被写体を透過する際に発生する散乱線を除去する外付けグリッドが着脱自在に取り付け可能であることが好ましい。外付けグリッドは、前面を覆う天板部と、天板部の端縁に設けられ、前面側から背面側に延びて側面の一部を覆う側板部とを有することが好ましい。
【発明の効果】
【００２２】
本発明によれば、アンテナ用開口部を、筐体の側面および背面に対して傾斜した傾斜面に設けるので、撮影台のホルダや外付けグリッドでアンテナ用開口部が塞がれることがなくなる。したがって、使用環境によらず安定した無線通信を行うことが可能な電子カセッテを提供することができる。
【図面の簡単な説明】
【００２３】
【図１】前面側から見た電子カセッテの外観斜視図である。
【図２】背面側から見た電子カセッテの外観斜視図である。
【図３】立位撮影台および臥位撮影台の外観平面図である。
【図４】外付けグリッドおよび電子カセッテを示す外観斜視図である。
【図５】無線通信部の周辺を示す外観斜視図である。
【図６】図５のＡ−Ａ線に沿う電子カセッテの断面図である。
【図７】傾斜面と側面の幅を示す図である。
【図８】立位撮影台、臥位撮影台のホルダに電子カセッテがセットされた場合の電波の伝搬経路を示す図である。
【図９】側面にアンテナ用開口部を形成した比較例を示す図である。
【図１０】アンテナがアンテナ用開口部と対向していない例を示す図である。
【発明を実施するための形態】
【００２４】
図１および図２において、電子カセッテ１０は、例えば医療用Ｘ線撮影に利用されるもので、被写体Ｈ（図３参照）を透過したＸ線に基づき被写体ＨのＸ線画像を検出する画像検出部１５と、画像検出部１５を収容する可搬型の筐体１６とで構成される。
【００２５】
画像検出部１５は、周知のように、入射したＸ線を可視光に変換するシンチレータ（蛍光体）、およびシンチレータからの可視光に応じた電荷を蓄積する複数の画素を有するＴＦＴ（Thin Film Transistor）アクティブマトリクス基板を備える。筐体１６には、この画像検出部１５の他に、ＴＦＴのゲートにゲートパルスを与えてＴＦＴをスイッチングさせるゲートドライバ、画素に蓄積された電荷を、Ｘ線画像を表す電圧信号に変換して出力する信号処理回路、ゲートドライバや信号処理回路の駆動を制御する制御部等が内蔵されている。
【００２６】
筐体１６は、Ｘ線が入射する前面２０、前面２０と対向する背面２１、および４つの側面２２、２３、２４、２５で構成される直方体形状を有する。筐体１６は例えば電磁波を遮蔽する金属（アルミやマグネシウムおよびこれらの合金等）やカーボン等の導電性材料で形成され、電子カセッテ１０への電磁ノイズの侵入、および電子カセッテ１０から外部への電磁ノイズの放射を防止する電磁シールドとしても機能する。筐体１６は、例えば、フイルムカセッテやＩＰ（Imaging Plate）カセッテ、ＣＲ（Computed Radiography）カセッテと略同様の、国際規格ＩＳＯ（International Organization for Standardization）４０９０：２００１に準拠した大きさである。
【００２７】
前面２０には矩形状の開口が形成されており、開口には透過板２６が取り付けられている。透過板２６の表面にはＸ線を透過する樹脂製の保護フイルム２７（図６参照）が貼り付けられている。これにより前面２０は平坦面となる。透過板２６は、軽量で剛性が高く、かつＸ線透過性が高いカーボン材料で形成されている。また、側面２２側の前面２０には、電子カセッテ１０の電源オン／オフを報せるためのＬＥＤ（Light Emitting Diode）等のインジケータ２８が設けられている。
【００２８】
筐体１６には、電子カセッテ１０の動作を制御する制御装置（図示せず）とＸ線画像等の各種情報を無線通信する無線通信部３０が内蔵されている。無線通信部３０は、側面２３と側面２４が交差する角部３１と、角部３１の対角の側面２２と側面２５が交差する角部３２とに１つずつ、計２つ設けられている。このため、２つの無線通信部３０のうちの一方の無線通信が不調でも、他方の無線通信が安定していれば、無線通信を行うことができる。
【００２９】
無線通信部３０を使用した場合には、電子カセッテ１０はバッテリ３３からの電力で駆動し、いわゆるケーブルレスで使用することが可能である。なお、２つの無線通信部３０は、配置位置が異なるだけで、その他の構成および作用は同一であるため、以下の説明では角部３１に設けられた無線通信部３０についてのみ説明する。
【００３０】
また、電子カセッテ１０は、制御装置と有線通信するための機能として、メス型コネクタ３４を備えている。メス型コネクタ３４には、オス型コネクタ３５が接続される。オス型コネクタ３５には、電子カセッテ１０と制御装置を有線接続するためのケーブル３６の一端が接続される。ケーブル３６の他端は、制御装置に接続するコネクタ（図示せず）に接続されている。メス型コネクタ３４は、無線通信機能の使用中等、オス型コネクタ３５が接続されないときには蓋３７で覆われて保護される。
【００３１】
電子カセッテ１０は、メス型コネクタ３４を介して、制御装置から各種情報だけでなく電力の供給も受ける。電子カセッテ１０は、メス型コネクタ３４とオス型コネクタ３５が接続された場合、制御装置からの電力で駆動する。制御装置からの電力でバッテリ３３を充電することも可能である。
【００３２】
背面２１の中央部分には、バッテリ装着部３８が設けられている。バッテリ装着部３８には、電子カセッテ１０を駆動するための電力を供給するバッテリ３３が着脱自在に装着される。図２ではバッテリ３３がバッテリ装着部３８に装着された状態を示している。
【００３３】
バッテリ装着部３８は、背面２１を前面２０に向けて凹ませた凹部である。バッテリ装着部３８は、バッテリ３３が略隙間なく収まるように、バッテリ３３の平面形状および平面サイズと同一形状および同一サイズで形成されている。バッテリ装着部３８の背面２１からの深さもバッテリ３３の厚みと略同じである。このため、バッテリ３３がバッテリ装着部３８に装着された図示の状態では、バッテリ３３の上面が背面２１から露呈し、バッテリ３３の上面と背面２１とが同一平面となる。
【００３４】
図３に示すように、電子カセッテ１０は、Ｘ線を照射するＸ線源４５と前面２０が対向する姿勢で保持されるよう、立位撮影台４６Ａのホルダ４７Ａや臥位撮影台４６Ｂのホルダ４７Ｂに着脱自在にセットされる。図３では、立位撮影台４６Ａのホルダ４７Ａに電子カセッテ１０をセットして撮影を行っている様子を示している。
【００３５】
ホルダ４７Ａ、４７Ｂは、アルミやステンレス等の電磁波遮蔽性を有する導電性材料で形成され、前面２０を覆う前板部４８Ａ、４８Ｂと、前板部４８Ａ、４８Ｂと対向し、背面２１を覆う背板部４９Ａ、４９Ｂと、筐体の４つの側面２２〜２５のうちのメス型コネクタ３４が設けられた側面２５を除いた側面２２〜２４を覆う側板部５０Ａ、５０Ｂとを有する。メス型コネクタ３４が設けられた側面２５が外部に露呈するので、ホルダ４７Ａ、４７Ｂに電子カセッテ１０をセットした状態で、メス型コネクタ３４とオス型コネクタ３５を接続することができる。
【００３６】
また、電子カセッテ１０は、立位撮影台４６Ａのホルダ４７Ａや臥位撮影台４６Ｂのホルダ４７Ｂにセットされる他に、ベッドに仰臥する被写体Ｈ、あるいは高齢者や急病人等自力で動けない被写体Ｈに対して単体で使用されることもある。さらに筐体１６がフイルムカセッテやＩＰカセッテ、ＣＲカセッテと略同様の大きさである場合は、電子カセッテ１０はこれらのカセッテ用の既存の撮影台にも取り付け可能である。
【００３７】
Ｘ線撮影では、Ｘ線が被写体Ｈを透過する際に散乱線が発生するため、この散乱線を除去する目的で、電子カセッテ１０が単体で使用される場合に図４に示す外付けグリッド５５が用いられる場合がある。外付けグリッド５５は、筐体１６の外側に着脱自在に取り付けられる。外付けグリッド５５は、矩形状のグリッド本体５６と、グリッド本体５６を保持する保持枠５７とで構成される。グリッド本体５６は、外付けグリッド５５が筐体１６に取り付けられたときに透過板２６全体を覆うよう、透過板２６よりも若干大きいサイズを有している。また、保持枠５７は、アルミやステンレス等の電磁波遮蔽性を有する導電性材料で形成され、筐体１６よりも若干大きいサイズを有している。
【００３８】
保持枠５７は天板部５８と側板部５９とを有する。天板部５８には、グリッド本体５６が取り付けられる矩形状の開口が形成されている。天板部５８は、外付けグリッド５５が筐体１６に取り付けられたときにグリッド本体５６とで前面２０を覆う。側板部５９は、天板部５８の端縁に設けられ、前面２０側から背面２１側に延設されている。なお、図示は省略するが、保持枠５７には、筐体１６に外付けグリッド５５を固定して外付けグリッド５５の脱落を防止し、かつこれを解除する周知の脱落防止／解除機構が設けられている。
【００３９】
無線通信部３０の周辺を示す図５、および図５のＡ−Ａ線に沿う筐体１６の断面図である図６において、側面２３と背面２１との間には、側面２３および背面２１に対して傾斜した傾斜面６５が形成されている。傾斜面６５には、電波を透過させるためのアンテナ用開口部６６が形成されている。
【００４０】
アンテナ用開口部６６は、方向Ｄから見て矩形形状を有する。アンテナ用開口部６６の内周面には、カバー７３を受け止めるための縁部７４が形成されている。縁部７４は、アンテナ用開口部６６へのカバー７３の挿入方向におけるカバー７３の取り付け位置を規制する。
【００４１】
無線通信部３０は、アンテナ７５や発振回路（図示せず）を有する。無線通信部３０は、筐体１６内において、例えば画像検出部１５が設置される基台に取り付けられている。無線通信部３０のアンテナ７５は、制御装置に向けて電波ＥＷを発し、かつ制御装置からの電波ＥＷを受信する。アンテナ７５から発せられた電波ＥＷは、アンテナ用開口部６６を介して筐体１６の外部に出射する。また、制御装置からの電波ＥＷは、アンテナ用開口部６６を介して筐体１６の内部に入射する。
【００４２】
アンテナ７５は、アンテナ用開口部６６と対向する位置に配置されている。より詳しくは、アンテナ７５は、アンテナ用開口部６６の略中心に位置し、かつ、無線通信部３０のアンテナ７５の設置面３０Ａが傾斜面６５と略平行となるよう配置されている。
【００４３】
カバー７３は、電波透過性を有する樹脂等の非導電性材料で形成されている。カバー７３は、アンテナ用開口部６６と同一形状および同一サイズであり、アンテナ用開口部６６に隙間なく嵌合される。カバー７３がアンテナ用開口部６６に嵌合された図６に示す状態では、カバー７３の上面と傾斜面６５とが同一平面となる。カバー７３とアンテナ用開口部６６は、例えば接着剤で互いに固着される。アンテナ用開口部６６は、カバー７３により水密、気密に塞がれる。
【００４４】
外付けグリッド５５の側板部５９は、外付けグリッド５５の筐体１６への位置決めを容易にするために、例えば、図６に二点鎖線で示すように側面２３と傾斜面６５の境界（第１境界８５、図７参照）程度の長さを有する。このため、外付けグリッド５５が筐体１６に取り付けられたときには、側面２３が側板部５９で覆われる。
【００４５】
符号８０は、傾斜面６５と同様に側面２３と前面２０の間に形成された傾斜面である。傾斜面６５、８０は、筐体１６の外側に向けて凸の曲面で形成されている。なお、図示は省略するが、側面２３以外の側面２２、２４、２５と背面２１との間にも傾斜面６５が形成され、側面２２、２４、２５と前面２０との間にも傾斜面８０が形成されている。
【００４６】
図７において、傾斜面６５は、その幅Ｗ１が、方向Ｄにおける側面２３の幅Ｗ２よりも広く形成されている。傾斜面６５の幅Ｗ１は、側面２３と傾斜面６５の境界である第１境界８５と、背面２１と傾斜面６５の境界である第２境界８６との間の距離である。また、側面２２の幅Ｗ２は、言い換えれば、第１境界８５と、側面２２と傾斜面８０の境界である第３境界８７との間の距離である。なお、側面２２、２４、２５についても同様に、傾斜面６５の幅Ｗ１のほうが側面２２、２４、２５の幅よりも広くなっている。
【００４７】
次に、上記構成による作用について説明する。まず、Ｘ線撮影を行う際には、図３に示すように、Ｘ線源４５と前面２０が対向する姿勢で保持されるよう、電子カセッテ１０が立位撮影台４６Ａのホルダ４７Ａや臥位撮影台４６Ｂのホルダ４７Ｂにセットされる。この場合、背面２１は、図８に示すようにホルダ４７Ａ、４７Ｂの背板部４９Ａ、４９Ｂで覆われる。このため、もし背面２１にアンテナ用開口部６６を形成した場合は、背板部４９Ａ、４９Ｂでアンテナ用開口部６６が塞がれる。背板部４９Ａ、４９Ｂでアンテナ用開口部６６が塞がれると、アンテナ用開口部６６からの電波ＥＷの出射、またはアンテナ用開口部６６への電波ＥＷの入射が阻害され、安定した無線通信を行うことができなくなる。
【００４８】
しかしながら、本実施形態では、側面２３および背面２１に対して傾斜した傾斜面６５を筐体１６に形成し、この傾斜面６５にアンテナ用開口部６６を形成しているので、背板部４９Ａ、４９Ｂでアンテナ用開口部６６が塞がれることはない。言い換えれば、傾斜面６５と背板部４９Ａ、４９Ｂとの間には、電波ＥＷが出射または入射するために十分な隙間が確保される。
【００４９】
アンテナ７５から発せられた電波ＥＷは、アンテナ用開口部６６から筐体１６の外側に出射し、傾斜面６５と背板部４９Ａ、４９Ｂとの間の隙間を伝って背板部４９Ａ、４９Ｂに到達する。背板部４９Ａ、４９Ｂに到達した電波ＥＷは、背板部４９Ａ、４９Ｂや筐体１６で何度か反射しながらホルダ４７Ａ、４７Ｂ外に出射される。制御装置からの電波ＥＷは、アンテナ７５から発せられた電波ＥＷとは逆の経路を辿ってアンテナ用開口部６６から筐体１６内に入射し、アンテナ７５で受信される。したがって、電子カセッテ１０が立位撮影台４６Ａのホルダ４７Ａや臥位撮影台４６Ｂのホルダ４７Ｂにセットされた場合でも、安定した無線通信を行うことができる。
【００５０】
また、ベッドに仰臥する被写体Ｈとベッドの間に電子カセッテ１０を差し入れてＸ線撮影を行う場合も、傾斜面６５とベッドとの間に電波ＥＷが出射または入射するために十分な隙間が確保されるため、同様の効果がある。
【００５１】
電子カセッテ１０が単体で使用されるＸ線撮影では、被写体Ｈを透過する際に発生した散乱線を除去するため、外付けグリッド５５が筐体１６に取り付けられる。
【００５２】
ここで、図９に示す比較例のように、側面２３にアンテナ用開口部９０を形成した場合を考える。アンテナ用開口部９０はカバー９１で塞がれる。また、アンテナ７５は、アンテナ用開口部９０と対向する位置に配置される。
【００５３】
この場合、例えば、図６に二点鎖線で示す第１境界８５程度の長さの側板部５９を有する外付けグリッド５５が筐体１６に取り付けられたときには、側板部５９でアンテナ用開口部９０が塞がれてしまう。したがって、背板部４９Ａ、４９Ｂでアンテナ用開口部６６が塞がれた場合と同様に、この場合も側板部５９で電波ＥＷの出射および入射が阻害されるため安定した無線通信を行うことができなくなる。
【００５４】
しかしながら、本実施形態では、側面２３ではなく傾斜面６５にアンテナ用開口部６６を形成しているので、図６に示すように、側板部５９でアンテナ用開口部６６が塞がれることはない。したがって、電子カセッテ１０に外付けグリッド５５が取り付けられた場合でも、安定した無線通信を行うことができる。
【００５５】
このように、アンテナ用開口部６６を塞ぐ背板部４９Ａ、４９Ｂや側板部５９を切り取ったり穴を開けたりする等の加工が不要で、かつ立位撮影台４６Ａのホルダ４７Ａや臥位撮影台４６Ｂのホルダ４７Ｂに電子カセッテ１０をセットしたり、電子カセッテ１０に外付けグリッド５５を取り付けたりする等の使用環境によらず安定した無線通信を行うことが可能となる。
【００５６】
このため、ある無線通信部の無線通信が不調となっても別の無線通信部で無線通信が行えるように保険のため多数の無線通信部３０を設ける必要がなくなり、上記実施形態のように無線通信部３０の数を２つ程度で済ませることができる。
【００５７】
また、図９の比較例のように、側面２３にアンテナ用開口部９０を形成した場合は、アンテナ用開口部９０を形成しない場合よりも側面２３の強度が弱くなる。ベッドに仰臥する被写体Ｈとベッドの間に電子カセッテ１０を差し入れてＸ線撮影を行う際には、被写体Ｈの荷重が方向Ｄに平行な側面２３に集中的に掛かるため、側面２３の強度が弱いと心許ない。対して側面２３の強度が確保されていれば、傾斜面６５にアンテナ用開口部６６を形成して傾斜面６５の強度が弱くなっても、Ｘ線撮影を気兼ねなく行うことができる。
【００５８】
また、側面２３の強度が確保されていれば、誤って電子カセッテ１０を落下させてしまった場合でも故障しにくい。というのは、電子カセッテ１０を落下させてしまった場合に故障する多くの原因は、側面２３あるいは筐体１６の角から落下し、側面２３に力が掛かった場合であるからである。したがって、側面２３の強度が確保されていれば、落下時の故障を抑止することが可能となる。
【００５９】
アンテナ用開口部６６をカバー７３で塞ぐので、傾斜面６５が平坦面となり、ベッドに仰臥する被写体Ｈとベッドの間に電子カセッテ１０を差し入れる際にアンテナ用開口部６６がベッドに引っ掛かる等して作業の邪魔になることがない。
【００６０】
アンテナ７５をアンテナ用開口部６６と対向する位置に配置するので、より電波ＥＷの送受信効率を高めることができる。また、傾斜面６５の幅Ｗ１を、側面２３の幅Ｗ２よりも広くするので、図９の比較例のように側面２３にアンテナ用開口部９０を形成する場合と比べて、アンテナ用開口部６６の開口面積を広くとることができ、さらに電波ＥＷの送受信効率を高めることができる。
【００６１】
傾斜面６５、８０を設けることで、前面２０、背面２１、および側面２２〜２５は、角がない滑らかな曲面でつながる。このため、筐体１６の被写体Ｈへの接触感覚がソフトになる。また、平坦な面に電子カセッテ１０が置かれていた場合、傾斜面６５、８０に指を掛けて容易に電子カセッテ１０を持ち上げることができる。さらに、ベッドに仰臥する被写体Ｈとベッドの間にスムーズに電子カセッテ１０を差し入れることができる。
【００６２】
なお、アンテナ７５の配置位置は、上記実施形態のアンテナ開口部６６と対向する位置に限らない。例えば図１０に示すように、無線通信部３０を背面２１側の奥まった位置に設け、アンテナ７５をアンテナ開口部６６から外れた位置に配置してもよい。
【００６３】
アンテナ用開口部６６は、傾斜面６５だけでなく、背面２１や側面２３にまで及ぶように延設されていてもよい。
【００６４】
アンテナ用開口部６６の形状は、上記実施形態のような矩形状に限らず、円形や楕円形でもよい。また、アンテナ７５は、少なくともＸ線画像を制御装置へ無線送信する機能を有していればよい。さらに、無線通信部３０は、上記実施形態で例示したアンテナ７５や発振回路等が一体化したものに限らず、アンテナ７５と発振回路等を別体で設けたものでもよい。
【００６５】
上記実施形態では、４つの側面２２〜２５と背面２１との間に傾斜面６５を設けているが、少なくとも無線通信部３０が設けられる側面と背面２１との間に傾斜面６５が設けられていればよい。
【００６６】
外付けグリッドの側板部は、側面２２〜２５の全てに対して設けなくてもよい。例えば、側面２２、２３と対向する部分にのみ側板部が設けられた外付けグリッドを用いてもよい。また、傾斜面６５、８０は、上記実施形態のような筐体１６の外側に向けて凸の曲面に限らず、平坦面としてもよいし、曲面と平坦面を合せた形状としてもよい。
【００６７】
なお、画像検出部としては、シンチレータを用いず、Ｘ線を直接電荷に変換する変換層（アモルファスセレン等）を用いた直接変換型を用いてもよい。また、ＴＦＴ型の画像検出部を例示しているが、ＣＭＯＳ（Complementary Metal Oxide Semiconductor）型の画像検出部を用いてもよい。さらに、本発明は、Ｘ線に限らず、γ線等の他の放射線に基づいて撮影する電子カセッテにも適用することができる。
【符号の説明】
【００６８】
１０  電子カセッテ
１５  画像検出部
１６  筐体
２０  前面
２１  背面
２２〜２５  側面
３０  無線通信部
４６Ａ、４６Ｂ  立位撮影台、臥位撮影台
４７Ａ、４７Ｂ  ホルダ
４８Ａ、４８Ｂ  前板部
４９Ａ、４９Ｂ  背板部
５５  外付けグリッド
５８  天板部
５９  側板部
６５  傾斜面
６６、９０  アンテナ用開口部
７３、９１  カバー
７５  アンテナ
８５、８６  第１境界、第２境界
ＥＷ  電波
Ｗ１  傾斜面の幅
Ｗ２  側面の幅
【図１】
2020139955.tif 000003
【図２】
2020139955.tif 000004
【図３】
2020139955.tif 000005
【図４】
2020139955.tif 000006
【図５】
2020139955.tif 000007
【図６】
2020139955.tif 000008
【図７】
2020139955.tif 000009
【図８】
2020139955.tif 000010
【図９】
2020139955.tif 000011
【図１０】
2020139955.tif 000012